(57)【要約】      （修正有）【課題】タッチコントロールを操作できるタッチコントロール用被覆手袋構造を提供する。【解決手段】手袋本体１と、手袋本体内に縫製された内部手袋２とを備える。手袋本体は、横編みによったニッドからなる、手のひら部１１と親指着用部１２、四つ指着用部１３及び手首部１４からなる。親指着用部や四つ指着用部の各指先に対応した位置に、導電編み糸と縦糸及びよこ糸から編成されて一体成型になる少なくとも一つのタッチコントロール領域１５が形成される。内部手袋は、特製裏地糸で交差して編成することにより形成された手のひら部２１と親指着用部２２、四つ指着用部２３及び手首部からなり、親指着用部や四つ指着用部の各指先に対応した位置に、導電編み糸によって、横編みで編成されたタッチコントロール領域２５がある。【選択図】図１
0003188927.tif 000002
【実用新案登録請求の範囲】
【請求項１】
手袋本体と、上記手袋本体内に縫製された内部手袋とが、備えられたタッチコントロール用被覆手袋構造であって、
上記手袋本体が、横編みによったニッドからなる、手のひら部と親指着用部、四つ指着用部及び手首部からなり、上記親指着用部や四つ指着用部の各指先に対応した位置に、導電編み糸と縦糸及びよこ糸から編成されて一体成型になる少なくとも一つのタッチコントロール領域が形成され、また、上記内部手袋が、特製裏地糸で交差して編成することにより形成された手のひら部と親指着用部、四つ指着用部及び手首部からなり、上記親指着用部や四つ指着用部の各指先に対応した位置に、導電編み糸によって、横編みで編成されたタッチコントロール領域がある、
ことを特徴とするタッチコントロール用被覆手袋構造。
【請求項２】
上記手袋本体と上記内部手袋において、タッチコントロール領域が、上記手袋本体と上記内部手袋に形成された親指着用部と四つ指着用部の何れかのひとつの位置や二つの位置に、また、それぞれ、対応して接触するように、設けられることを特徴とする請求項１に記載のタッチコントロール用被覆手袋構造。
【請求項３】
上記手袋本体のタッチコントロール領域が、更に、縦編みや横編みの何れかの一つによって編成されて、交差的に上記親指着用部と四つ指着用部の正裏面に伸び、また、上記内部手袋のタッチコントロール領域が、更に、横編みによって編成されて上記親指着用部と四つ指着用部の正裏面に伸びることを特徴とする請求項２に記載のタッチコントロール用被覆手袋構造。
【請求項４】
上記内部手袋の親指着用部と四つ指着用部に、上記タッチコントロール領域が設けられないことを特徴とする請求項１に記載のタッチコントロール用被覆手袋構造。
【請求項５】
上記手袋本体の親指着用部と四つ指着用部に形成されたタッチコントロール領域に、更に、蛍光層が設けられ、上記蛍光層が、上記手袋本体のタッチコントロール領域に対して、外部のタッチコントロール用装置からタッチコントロールを操作することに影響しない発光物質からなることを特徴とする請求項１に記載のタッチコントロール用被覆手袋構造。
【請求項６】
上記手袋本体内に、上記内部手袋が設けられなく、単層からなることを特徴とする請求項１に記載のタッチコントロール用被覆手袋構造。
【考案の詳細な説明】
【技術分野】
【０００１】
本考案は、タッチコントロール用被覆手袋構造に関し、特に、ユーザーの五つの指に着用して、タッチコントロール用装置にタッチコントロールを操作できるタッチコントロール用手袋に関する。
【背景技術】
【０００２】
冬になって、天気が寒くなると、人々が、防寒の衣物や靴などを着用して、体の各部の温度を維持して、寒い天気によって病気になることを防止するが、市場に、例えば、手袋や靴下、マフラー、帽子及び衣服等の多い種類の防寒用品が売られ、その中、手袋は、全被覆式と半被覆式があり、基本の保護や防寒の他に、装飾の効果が得られ、また、寒い日に、バイクなどを乗る人にとって不可欠な防寒用品であり、実に、用途が幅広い用品である。
【０００３】
また、科学技術の進歩とともに、人々にとって、日常生活に、例えば、スマートフォンやタブレット、デジタルカメラ、そして、７−ELEVEn（登録商標）のｉｂｏｎ（登録商標）やＡＴＭ（登録商標）等の容量式タッチコントロールスクリーン装置が良く見られるが、一般の手袋は、不導電材質から構成されるため、手袋を介して、直接に、タッチコントロールスクリーンを操作できなく、手袋を外してから操作し、操作した後、再び、それを着用することが必要になり、そのため、よく、容量式タッチコントロールスクリーン装置を利用するユーザーにとって、迷惑なことになり、至急に解決しなければならない問題である。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の主な目的は、ユーザーの五つの指に着用した後、タッチコントロール用装置に対して、タッチコントロールを操作できるタッチコントロール用被覆手袋構造を提供する。
【０００６】
本考案の他の目的は、ユーザーの五つの指に着用した後、その手袋の正裏面に係わらず、タッチコントロール用装置に対して、タッチコントロールを操作できるタッチコントロール用被覆手袋構造を提供する。
【０００７】
本考案の更に他の目的は、ユーザーが着用する時、視覚美観の効果が得られるタッチコントロール用被覆手袋構造を提供する。
【課題を解決するための手段】
【０００８】
請求項１の考案は、手袋本体と、上記手袋本体内に縫製された内部手袋とが、備えられたタッチコントロール用被覆手袋構造であって、上記手袋本体が、横編みによったニッドからなる、手のひら部と親指着用部、四つ指着用部及び手首部からなり、上記親指着用部や四つ指着用部の各指先に対応した位置に、導電編み糸と縦糸及びよこ糸から編成されて一体成型になる少なくとも一つのタッチコントロール領域が形成され、また、上記内部手袋が、特製裏地糸で交差して編成することにより形成された手のひら部と親指着用部、四つ指着用部及び手首部からなり、上記親指着用部や四つ指着用部の各指先に対応した位置に、導電編み糸によって、横編みで編成されたタッチコントロール領域がある、ことを特徴とするタッチコントロール用被覆手袋構造である。
【０００９】
請求項２の考案は、上記手袋本体と上記内部手袋において、タッチコントロール領域が、上記手袋本体と上記内部手袋に形成された親指着用部と四つ指着用部の何れかのひとつの位置や二つの位置に、また、それぞれ、対応して接触するように、設けられることを特徴とする請求項１に記載のタッチコントロール用被覆手袋構造である。
【００１０】
請求項３の考案は、上記手袋本体のタッチコントロール領域が、更に、縦編みや横編みの何れかの一つによって編成されて、交差的に上記親指着用部と四つ指着用部の正裏面に伸び、また、上記内部手袋のタッチコントロール領域が、更に、横編みによって編成されて上記親指着用部と四つ指着用部の正裏面に伸びることを特徴とする請求項２に記載のタッチコントロール用被覆手袋構造である。
【００１１】
請求項４の考案は、上記内部手袋の親指着用部と四つ指着用部に、上記タッチコントロール領域が設けられないことを特徴とする請求項１に記載のタッチコントロール用被覆手袋構造である。
【００１２】
請求項５の考案は、上記手袋本体の親指着用部と四つ指着用部に形成されたタッチコントロール領域に、更に、蛍光層が設けられ、上記蛍光層が、上記手袋本体のタッチコントロール領域に対して、外部のタッチコントロール用装置からタッチコントロールを操作することに影響しない発光物質からなることを特徴とする請求項１に記載のタッチコントロール用被覆手袋構造である。
【００１３】
請求項６の考案は、上記手袋本体内に、上記内部手袋が設けられなく、単層からなることを特徴とする請求項１に記載のタッチコントロール用被覆手袋構造である。
【図面の簡単な説明】
【００１４】
【図１】本考案の一実施形態の外観図である。
【図２】本考案の一実施形態の作製工程図である。
【図３】本考案の一実施形態の一部断面図である。
【図４】本考案の他の実施形態の一部断面図（一）である。
【図５】本考案の他の実施形態の一部断面図（二）である。
【図６】本考案のより良い使用状態図である。
【考案を実施するための形態】
【００１５】
以下、図面を参照しながら、本考案の特徴や技術内容について、詳しく説明するが、それらの図面等は、参考や説明のためであり、本考案は、それによって制限されることが無い。
【００１６】
図１乃至図２のように、本考案は、手袋本体１と上記手袋本体１内縫製された内部手袋２とが、備えられ、
全体として、手の平と指を被覆し、横編みで編成され、手の平全体が収納されるように、手のひら部１１を被覆し、親指が収納される親指着用部１２と、他の四つの指が収納される四つ指着用部１３と、手部が収納されて手首に緊密に覆う手首部１４とが、備えられ、上記手首部１４において、内縁に、所定の長さで、上記内部手袋２に設けられた手首部２４の底端に、対応して、利用縫製糸１４２によって縫製され、縫製領域１４１が形成され、これにより、縫製結合の堅さが、向上され、また、内部手袋２が、手袋本体１内に収納されると、その手袋本体１が、上記内部手袋２の表面に被覆するようになり、また、上記親指着用部１２と四つ指着用部１３とのそれぞれの指先に、導電編み糸で、縦糸と横糸により交差的に編成され、一体成型である少なくとも一つのタッチコントロール領域１５が形成される手袋本体１と、
全体として、手の平と指を被覆し、特製裏地糸を交差的に編成してからなり、手の平を被覆して収納するための手のひら部２１と、指の親指を被覆して収納するための親指着用部２２と、残りの四つの指を被覆して収納するための四つ指着用部２３と、手部を収納した後手首を被覆して緊密に締める手首部２４とが、備えられ、その中、上記四つ指着用部２３は、縫製糸２３５で縫製することにより、人差し指袋２３１と中指袋２３２、薬指袋２３３及び小指袋２３４の四つ指袋が形成され、また、上記手首部２４と上記手袋本体１の手首部１４との底端において、互いに対応して、縁に沿って縫製することにより、縫製連結され、内部手袋２が、手袋本体１内に収納されると、その手袋本体１が、上記内部手袋２の表面に被覆し、また、上記親指着用部２２や四つ指着用部２３の何れかの指先に、導電編み糸で、横編みで編成された少なくとも一つのタッチコントロール領域２５が形成される内部手袋２と、が含有される。
【００１７】
図３乃至図６のように、本考案は、手袋本体１と、上記手袋本体１内に縫製された内部手袋２とからなり、上記手袋本体１は、横編みで一体成型である手袋が編成され、上記手袋本体１には、手のひら部１１と親指着用部１２、四つ指着用部１３及び手首部１４が形成され、また、上記親指着用部１２や四つ指着用部１３の何れかの指先に、複数の導電編み糸を有して、縦糸と横糸によって交差するように編成されて一体成型である少なくとも一つのタッチコントロール領域１５が形成され、また、上記内部手袋２は、特製裏地糸で交差して編成することにより形成された一体成型の手袋であり、そのため、上記内部手袋２に、手のひら部２１と親指着用部２２、四つ指着用部２３及び手首部２４が形成され、また、上記四つ指着用部２３に、縫製糸２３５で人差し指袋２３１と中指袋２３２、薬指袋２３３及び小指袋２３４の四つ指袋が縫製され、上記親指着用部２２や四つ指着用部２３の何れかの指先に、導電編み糸を有し、横編みによって編成された一体成型の少なくとも一つのタッチコントロール領域２５が形成され、その中、上記内部手袋２の裏地糸が、組織繊維になり、上記組織繊維が、組み合わせ糸やフェザーヤーン、ベルベット或いはハーフベルベットからなる群れから択ばれる何れかの一つであり、これにより、着用する時、防寒や快適の効果が得られ、また、上記内部手袋２の手首部２４と上記手袋本体１の手首部１４との底端が、互いに対応して縁に沿って縫製することによって連結され、内部手袋２が、手袋本体１内に収納されると、手袋本体１が、上記内部手袋２の表面に被覆し、その中、上記手袋本体１の親指着用部１２と四つ指着用部１３に設けられたタッチコントロール領域１５に、更に、蛍光層１５１が敷かれ、上記蛍光層１５１が、上記手袋本体１のタッチコントロール領域１５で、外部のタッチコントロール用装置３に対してタッチコントロールを操作することに支障しない発光物質からなる。
【００１８】
また、その中、上記手袋本体１と上記内部手袋２とに設けられたタッチコントロール領域（１５、２５）も、更に、上記手袋本体１と上記内部手袋２に設けられた親指着用部（１２、２２）と四つ指着用部（１３、２３）に形成され、また、上記内部手袋２の親指着用部２２と四つ指着用部２３に、上記タッチコントロール領域２５が設けられなく、その中、上記手袋本体１内に、上記内部手袋２が設けられなく、単層になる。
【００１９】
以上のように、本考案に係るタッチコントロール用手袋は、下記の目的や効果が実現される。
１、上記内部手袋２の親指着用部２２と四つ指着用部２３に設けられたタッチコントロール領域２５と、上記手袋本体１の親指着用部１２と四つ指着用部１３に設けられたタッチコントロール領域１５とが、互いに対応して接触し（図３のように）、そのため、ユーザーの五つの指を嵌めた後、タッチコントロール用装置３に対してタッチコントロールを操作する効果が得られるタッチコントロール用手袋が実現される。
２、その中、上記手袋本体１のタッチコントロール領域１５が、更に、縦編みや横編みによって編成されて、交差的に上記親指着用部１２と四つ指着用部１３の正裏面に伸びることと、上記内部手袋２のタッチコントロール領域２５が、更に、横編みによって編成されて、上記親指着用部２２と四つ指着用部２３の正裏面に伸びること（図４のように）により、ユーザーが、五つの指を嵌める時、その手袋の正裏面に係わらず、タッチコントロール用装置３に対して、タッチコントロールを操作できる。
３、また、上記手袋本体１の親指着用部１２と四つ指着用部１３に設けられたタッチコントロール領域１５に、更に、上記手袋本体１のタッチコントロール領域１５で外部のタッチコントロール用装置に対してタッチコントロールを操作することに支障しない蛍光層１５１からなり（図５のように）、これにより、ユーザーが着用する時、視覚美観効果が得られるタッチコントロール用手袋になる。
【００２０】
そのため、本考案は、より進歩的かつより実用的で、法に従って実用新案登録を出願する。
【００２１】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【符号の説明】
【００２２】
１      手袋本体
１１    手のひら部
１２    親指着用部
１３    四つ指着用部
１４    手首部
１４１  縫製領域
１４２  縫製糸
１５    タッチコントロール領域
１５１  蛍光層
２      内部手袋
２１    手のひら部
２２    親指着用部
２３    四つ指着用部
２３１  人差し指袋
２３２  中指袋
２３３  薬指袋
２３４  小指袋
２３５  縫製糸
２４    手首部
２５    タッチコントロール領域
３      タッチコントロール用装置    
【図１】
0003188927.tif 000003
【図２】
0003188927.tif 000004
【図３】
0003188927.tif 000005
【図４】
0003188927.tif 000006
【図５】
0003188927.tif 000007
【図６】
0003188927.tif 000008